(57)【要約】【課題】武骨でごつい印象や煩雑な印象を与えやすい部材が支柱の外へ露出するのを解消して、支柱の外観を優しさに富む印象にできる突っ張り固定型の支柱を提供する。【解決手段】天井押圧体３を備えた上枠体１と、接床体４を備えた下枠体２と、上枠体１を上下動不能にロック保持するロック機構５を備えている。ロック機構５は、下枠体２に固定される支点リング７と、上枠体１を抱持固定する抱持リング８と、ロックハンドル９と、押上げリンク１０と、カム構造を備えている。支点リング７のリング筒部７ｃと抱持リング８の筒壁８ａを下枠体２の内部に収容して、支点リング７のリンクガイド部１３と、抱持リング８のブラケット部２０を、下枠体２の縦開口１６から外面に露出させる。武骨でごつい印象や煩雑な印象を与えやすいリング筒部７ｃと筒壁８ａが支柱の外へ露出するのを解消して、支柱の外観を優しさに富む印象にできる。【選択図】図１
2018040153.tif 000002
【特許請求の範囲】
【請求項１】
天井（Ｒ）に接当する天井押圧体（３）を備えた上枠体（１）と、床（Ｆ）に接当する接床体（４）を備えた下枠体（２）と、下枠体（２）の上部と上枠体（１）の中途部との間に設けられて、下枠体（２）から引出した上枠体（１）を上下動不能にロック保持するロック機構（５）を備えている突っ張り固定型の支柱であって、
ロック機構（５）は、下枠体（２）の上部に固定される支点リング（７）と、上枠体（１）に外嵌して同枠体（１）の中途部を抱持固定する抱持リング（８）と、抱持リング（８）で上下揺動可能に支持したロックハンドル（９）と、支点リング（７）とロックハンドル（９）を連結する押上げリンク（１０）を備えており、
支点リング（７）に設けたリンクガイド部（１３）と、抱持リング（８）に設けたブラケット部（２０）が、下枠体（２）に開口した縦開口（１６）から外面に露出する状態で、支点リング（７）のリング筒部（７ｃ）と抱持リング（８）の筒壁（８ａ）が下枠体（２）の内部に収容してあることを特徴とする突っ張り固定型の支柱。
【請求項２】
下枠体（２）の上端に、ロック状態に揺動操作されたロックハンドル（９）の上部、および抱持リング（８）の上部を覆うロック部カバー（３２）が固定されており、
ロックハンドル（９）の外面がハンドルカバー（３１）で覆われており、
ロック部カバー（３２）およびハンドルカバー（３１）が、それぞれ衝撃吸収材で形成してある請求項１に記載の突っ張り固定型の支柱。
【請求項３】
ロックハンドル（９）と支点リング（７）のリンクガイド部（１３）が、ロックハンドル（９）の左右中央に配置した１個の押上げリンク（１０）で連結してある請求項１、または２に記載の突っ張り固定型の支柱。
【請求項４】
ロックハンドル（９）のハンドル本体（２１）と支点リング（７）がプラスチック成形品で形成してある請求項３に記載の突っ張り固定型の支柱。
【請求項５】
支点リング（７）は、プラスチック成形された左右一対の半割りリング体（７ａ・７ｂ）を接合して筒状に形成してあり、
前側の接合部にガイドベース（１２）とリンクガイド部（１３）が一体に形成されて、リンクガイド部（１３）の対向面に、押上げリンク（１０）に固定した支点軸（２５）をスライド案内するガイド溝（１４）が非貫通溝状に形成されており、
半割りリング体（７ａ）の下端に設けた弾性係合爪（１７）が、下枠体（２）に設けた係合穴（１８）に係合して、支点リング（７）が下枠体（２）に対して脱落不能に固定してある請求項１から４のいずれかひとつに記載の突っ張り固定型の支柱。
【請求項６】
ロックハンドル（９）と支点リング（７）の間に、ロック操作されたロックハンドル（９）がロック解除方向へ操作されるのを阻止するハンドルロック構造が設けられており、
ハンドルロック構造が、リンクガイド部（１３）の下部に設けたロック凹部（１５）と、ロックハンドル（９）で往復スライド可能に案内支持されるロック軸体（３６）を備えており、
ロック軸体（３６）には、ロック凹部（１５）と係脱するロック爪（３７）が設けてあり、
ロックハンドル（９）がロック状態に切換え操作された状態において、ロック軸体（３６）をロック解除位置からロック位置へスライド操作することにより、ロック爪（３７）がロック凹部（１５）と係合してロックハンドル（９）をロック解除操作不能にロック保持する請求項１から５のいずれかひとつに記載の突っ張り固定型の支柱。
【請求項７】
ロック軸体（３６）の下端に、ロック軸体（３６）がロック解除位置にあることを表示する表示部（４０）が設けられており、
ハンドルカバー（３１）の下部に表示部（４０）の出入りを許す表示開口（３３）が形成されており、
ロックハンドル（９）がロック操作され、ロック軸体（３６）がロック解除位置に位置している状態において、表示部（４０）が表示開口（３３）から突出しており、
ロックハンドル（９）がロック操作され、ロック軸体（３６）がロック位置へ変位操作された状態において、表示部（４０）がハンドルカバー（３１）の外郭形状の内部に収まっている請求項６に記載の突っ張り固定型の支柱。
【請求項８】
ロックハンドル（９）の内部に、ロック位置へ変位操作されたロック軸体（３６）をロック解除位置へリセット操作するリセット機構が設けられており、
リセット機構が、ロックハンドル（９）で回転自在に支持されてロック軸体（３６）を左右に貫通するカム軸（４２）と、カム軸（４２）に固定したリセット用のカム体（４３）と、ロック軸体（３６）に設けられてカム体（４３）でロック解除位置へリセット操作される受動部（４４）と、ロックハンドル（９）の外面に臨む状態でカム軸（４２）に設けた操作頭部（４２ａ）を備えており、
ロック軸体（３６）には、カム軸（４２）と相対スライドする逃げ溝（４６）が形成されており、
ロック軸体（３６）がロック位置へ変位操作された状態において、ハンドルカバー（３１）の外面からカム軸（４２）を回転操作することにより、ロック軸体（３６）の受動部（４４）をカム体（４３）で押出し操作して、ロック軸体（３６）をハンドルカバー（３１）の外のロック解除位置へリセット操作できる請求項２から７のいずれかひとつに記載の突っ張り固定型の支柱。
【発明の詳細な説明】
【技術分野】
【０００１】
本発明は、床と天井壁の間に設置される突っ張り固定型の支柱に関する。
【背景技術】
【０００２】
この種の支柱に関して、本出願人は特許文献１の突っ張り固定型の支柱を先に提案している。そこでは、下側の径大パイプと、同パイプに対して上下スライド自在に嵌合する上側の径小パイプと、両パイプの間に設けられるロック具などを主な構成要素にして支柱を構成している。径大パイプの下端には床置き部材が固定してあり、径小パイプの上端には天井受け部材が固定してある。ロック具は、径大パイプの上端に固定される固定リングと、径小パイプの中途部を抱持固定する締結リングと、これら両リングの間に設けられるハンドルおよび一対のリンクなどで構成してある。
【０００３】
ハンドルの基端は締結リングに枢軸で連結されていて、水平の待機姿勢と垂直の作動姿勢の間で揺動操作できる。リンクの下端は固定リングのガイド溝に連結してあり、リンクの上端はハンドルの中途部に固定軸を介して連結してある。また、ハンドルの基端にはカムブロックが設けてあり、このカムブロックと締結リングの対向面に、径小パイプを挟持固定するためのカム構造が設けてある。天井受け部材と径大パイプの間には圧縮コイル形のばねが配置してあり、天井受け部材が天井に押付けられた状態においては先のばねが圧縮変形して、天井受け部材の押上げ動作を吸収し、天井に過剰な押付け荷重が作用するのを防止している。
【０００４】
突っ張り固定型の支柱を使用する場合には、径大パイプを床に起立設置した状態で、径小パイプを上向きにスライド操作して、天井受け部材を天井に対して１ｃｍ前後の隙間を介して対向させる。この状態で、ハンドルを下方揺動操作し、カム機構で締結リングを縮径させて径小パイプを抱持固定する。ハンドルを下降操作する過程では、リンクの下端がガイド溝の下端で受止められるため、以後のハンドルはリンク上部の固定軸を中心にして揺動しながら固定リングに接近し、この動きで径小パイプおよび締結リングを押上げ操作して天井受け部材を天井に密着させ、支柱を床と天井壁の間に固定する。
【先行技術文献】
【特許文献】
【０００５】
【特許文献１】特許第３９５２３７０号公報（段落番号００２１〜００４４、図１）
【発明の概要】
【発明が解決しようとする課題】
【０００６】
従来の突っ張り固定型の支柱は、介護施設、病院、個人住宅における介護用品として広く普及しており、現在でも常に安定した需要がある。しかし、支柱を設置した状態において、径大パイプの上端に固定した固定リングや、径小パイプの中途部を挟持固定する締結リング、あるいはハンドルなどのロック具の全体が支柱の外面に露出するのを避けられない。そのため、ハンドルがロック状態に切換っていることを明確に目視できるものの、支柱の外観が武骨でごつい印象や、煩雑な印象を与えやすく、介護用品に望まれる優しさに富む印象を発揮することが困難であった。また、固定リング、締結リング、およびハンドルなどの金属製部品が支柱の外面に露出しているため、誤って金属製部品と衝突した場合に負傷するおそれがあり、充分な安全性を確保するうえで問題があった。
【０００７】
また、従来の突っ張り固定型の支柱では、支柱を突っ張り固定した状態において、ハンドルにねじ込んだストッパーねじのねじ軸端を、リンクのストッパー孔にねじ込むことにより、ハンドルをロック解除不能にロック保持できる。しかし、ストッパーねじのねじサイズが小さいため、その着脱が煩雑であった。また、ハンドルをロック保持するには、ストッパーねじを最後までねじ込み操作する必要があるが、ねじ込み量が不足してロック状態を保持できていないことがあり、あるいはストッパーねじがロック解除状態のままで放置されることもあって、安全性を確保するうえで改善の余地があった。
【０００８】
本発明の目的は、武骨でごつい印象や煩雑な印象を与えやすい固定リングや締結リングが支柱の外へ露出するのを解消して、支柱の外観を優しさに富む印象にでき、さらに金属製部品が露出するのを解消して安全性を向上できる突っ張り固定型の支柱を提供することにある。
本発明の目的は、ロックハンドル用のハンドルロック構造を改良して、ロック操作したロックハンドルをワンタッチでロック保持でき、従って、従来の支柱に比べて、ロックハンドルのロック保持を確実にしかも簡便に行って、安全性を向上できる突っ張り固定型の支柱を提供することにある。
【課題を解決するための手段】
【０００９】
本発明に係る突っ張り固定型の支柱は、図２に示すように、天井Ｒに接当する天井押圧体３を備えた上枠体１と、床Ｆに接当する接床体４を備えた下枠体２と、下枠体２の上部と上枠体１の中途部との間に設けられて、下枠体２から引出した上枠体１を上下動不能にロック保持するロック機構５を備えている。図１に示すように、ロック機構５は、下枠体２の上部に固定される支点リング７と、上枠体１に外嵌して同枠体１の中途部を抱持固定する抱持リング８と、抱持リング８で上下揺動可能に支持したロックハンドル９と、支点リング７とロックハンドル９を連結する押上げリンク１０を備えている。支点リング７に設けたリンクガイド部１３と、抱持リング８に設けたブラケット部２０が、下枠体２に開口した縦開口１６から外面に露出する状態で、支点リング７のリング筒部７ｃと抱持リング８の筒壁８ａが下枠体２の内部に収容してあることを特徴とする。
【００１０】
下枠体２の上端に、ロック状態に揺動操作されたロックハンドル９の上部、および抱持リング８の上部を覆うロック部カバー３２を固定する。ロックハンドル９の外面はハンドルカバー３１で覆われている。ロック部カバー３２およびハンドルカバー３１は、それぞれ衝撃吸収材で形成してある。
【００１１】
ロックハンドル９と支点リング７のリンクガイド部１３は、ロックハンドル９の左右中央に配置した１個の押上げリンク１０で連結する。
【００１２】
ロックハンドル９のハンドル本体２１と支点リング７はプラスチック成形品で形成する。
【００１３】
支点リング７は、プラスチック成形された左右一対の半割りリング体７ａ・７ｂを接合して筒状に形成してある。図４および図５に示すように、前側の接合部にガイドベース１２とリンクガイド部１３が一体に形成されて、リンクガイド部１３の対向面に、押上げリンク１０に固定した支点軸２５をスライド案内するガイド溝１４が非貫通溝状に形成してある。半割りリング体７ａの下端に設けた弾性係合爪１７が、下枠体２に設けた係合穴１８に係合して、支点リング７が下枠体２に対して脱落不能に固定してある。
【００１４】
ロックハンドル９と支点リング７の間に、ロック操作されたロックハンドル９がロック解除方向へ操作されるのを阻止するハンドルロック構造を設ける。ハンドルロック構造は、リンクガイド部１３の下部に設けたロック凹部１５と、ロックハンドル９で往復スライド可能に案内支持されるロック軸体３６を備えており、ロック軸体３６の一端にロック凹部１５と係脱するロック爪３７が設けてある。ロックハンドル９がロック状態に切換え操作された状態において、ロック軸体３６をロック解除位置からロック位置へスライド操作することにより、ロック爪３７がロック凹部１５と係合してロックハンドル９をロック解除操作不能にロック保持する。
【００１５】
ロック軸体３６の下端に、ロック軸体３６がロック解除位置にあることを表示する表示部４０が設けてある（図１参照）。ハンドルカバー３１の下部に表示部４０の出入りを許す表示開口３３が形成してある。ロックハンドル９がロック操作され、ロック軸体３６がロック解除位置に位置している状態において、表示部４０が表示開口３３から突出している。ロックハンドル９がロック操作され、ロック軸体３６がロック位置へ変位操作された状態において、表示部４０はハンドルカバー３１の外郭形状の内部に収まっている。
【００１６】
ロックハンドル９の内部に、ロック位置へ変位操作されたロック軸体３６をロック解除位置へリセット操作するリセット機構を設ける。リセット機構は、ロックハンドル９で回転自在に支持されてロック軸体３６を左右に貫通するカム軸４２と、カム軸４２に固定したリセット用のカム体４３と、ロック軸体３６に設けられてカム体４３でロック解除位置へリセット操作される受動部４４と、ロックハンドル９の外面に臨む状態でカム軸４２に設けた操作頭部４２ａを備えている。ロック軸体３６には、カム軸４２と相対スライドする逃げ溝４６が形成してある。ロック軸体３６がロック位置へ変位操作された状態において、ハンドルカバー３１の外面からカム軸４２を回転操作することにより、ロック軸体３６の受動部４４をカム体４３で押出し操作して、ロック軸体３６をハンドルカバー３１の外のロック解除位置へリセット操作できる。
【発明の効果】
【００１７】
本発明においては、ロック機構５を構成する構成部品の内、目立ちやすい支点リング７のリング筒部７ｃと抱持リング８の筒壁８ａを下枠体２の内部に収容して隠蔽し、両リング７・８の主要部分が支柱の外に露出するのを防止した。また、支点リング７のリンクガイド部１３と、抱持リング８のブラケット部２０は、下枠体２に開口した縦開口１６から露出させて、ロックハンドル９および押上げリンク１０を支障なく切換え操作できるようにした。こうした突っ張り固定型の支柱によれば、武骨でごつい印象や煩雑な印象を与えやすいリング筒部７ｃおよび筒壁８ａが支柱の外へ露出するのを解消できるので、支柱の外観を優しさに富む印象にして、支柱の外観をすっきりさせることができる。なお、ロックハンドル９をロック姿勢に切換えた状態では、押上げリンク１０がロックハンドル９の内部に収まり、さらに、リンクガイド部１３およびブラケット部２０がロックハンドル９で覆われるので、支柱の外観をすっきりさせることができる。
【００１８】
下枠体２の上端にロック部カバー３２を固定し、ロックハンドル９の外面をハンドルカバー３１で覆うと、ロックハンドル９や抱持リング８が支柱の外に露出するのを防止して、支柱の外観をさらに優しさに富む印象にして外観をすっきりさせることができる。また、ロック部カバー３２およびハンドルカバー３１を、それぞれ衝撃吸収材で形成するので、支柱の使用者が誤って抱持リング８と衝突することがあったとしても、各カバー３１・３２で衝突衝撃を吸収して使用者が負傷するのを防止できる。
【００１９】
上枠体１を抱持固定するロック機構５において、ロックハンドル９とリンクガイド部１３を１個の押上げリンク１０で連結すると、一対のリンクを構成要素としていた従来のロック機構に比べて、ロック機構を簡素化し、さらに組み立てに要する手間を軽減できるので、その分だけ支柱の製造に要するコストを削減できる。
【００２０】
ロックハンドル９のハンドル本体２１と支点リング７をプラスチック成形品で形成すると、固定リング（支点リング）とハンドルが金属材で形成してあった従来のロック構造に比べて、ロック構造を軽量化して突っ張り固定型の支柱の軽量化に大きく寄与できる。
【００２１】
左右一対の半割りリング体７ａ・７ｂで構成した支点リング７によれば、一対の半割りリング体７ａ・７ｂを接合して下枠体２に内嵌し、半割りリング体７ａに設けた弾性係合爪１７を下枠体２に設けた係合穴１８に係合することで、支点リング７を下枠体２に対して脱落不能に固定できる。従って、径大パイプの上端に固定リングを外嵌装着し、さらにリンク連結片の上下をボルトで締結する必要があった従来の支柱に比べて、支点リング７の下枠体２に対する組付けの手間を大幅に軽減できる。また、リンクガイド部１３の対向面に、支点軸２５用のガイド溝１４を非貫通溝状に形成するので、支点軸２５および押上げリンク１０の下部をリンクガイド部１３で常に覆い隠して、支点リング７の外観をすっきりさせることができる。
【００２２】
リンクガイド部１３の下部に設けたロック凹部１５と、ロック爪３７を備えたロック軸体３６でハンドルロック構造を構成した。こうしたハンドルロック構造によれば、ロック軸体３６をロック解除位置からロック位置へスライド操作するだけで、ロック爪３７をロック凹部１５に係合させてロックハンドル９をロック保持できる。また、ロック操作したロックハンドル９をワンタッチでロック保持できるので、従来の支柱に比べて、ロックハンドル９のロック保持を確実にしかも簡便に行って、支柱の安全性を向上できる。
【００２３】
ロック軸体３６の下端に表示部４０を設け、ロック軸体３６がロック解除状態にあるとき、表示部４０をハンドルカバー３１の表示開口３３から突出させると、ロックハンドル９がロック保持されていないことを明確に表示して、使用者の注意を喚起できる。従って、ロックハンドル９がロック保持されていない状態のままで放置されるのを解消して、突っ張り固定型の支柱の安全性を向上できる。また、ロックハンドル９をロック軸体３６でロック保持した状態では、表示部４０がハンドルカバー３１の外郭形状の内部に収まるので、ロックハンドル９が適正にロック保持されていることを知ることができる。
【００２４】
ロックハンドル９の内部に、カム軸４２とリセット用のカム体４３を備えたリセット機構を設けると、ハンドルカバー３１の外面からカム軸４２を回転操作することにより、ロック軸体３６の受動部４４をカム体４３で押出し操作して、ロック軸体３６をハンドルカバー３１の外のロック解除位置へリセット操作できる。こうした支柱によれば、ロック軸体３６によるロックハンドル９のロック保持はワンタッチで行えるのに対して、ロック軸体３６をロック解除操作する場合には、ハンドルカバー３１の外面からカム軸４２を回転操作する必要があり、その操作を複雑化できる。従って、ロックハンドル９が安易にロック解除姿勢に切換えられてしまうのを防止して支柱の安全性を向上できる。
【図面の簡単な説明】
【００２５】
【図１】本発明に係るロック機構を示す縦断側面図である。
【図２】本発明に係る突っ張り固定型の支柱の正面図である。
【図３】図１におけるＡ−Ａ線断面図である。
【図４】ロックハンドルをロック操作した状態の縦断側面図である。
【図５】図４におけるＢ−Ｂ線断面図である。
【図６】突っ張り固定型の支柱の別の使用例を示す側面図である。
【発明を実施するための形態】
【００２６】
（実施例）  図１ないし図５は、本発明に係る突っ張り固定型の支柱の実施例を示している。本発明における前後、左右、上下とは、図１および図２に示す交差矢印と、交差矢印の近傍の前後・左右・上下の表記に従う。図２において、突っ張り固定型の支柱は、天井Ｒに接当する天井押圧体３を備えた上枠体１と、床Ｆに接当する接床体４を備えた下枠体２と、下枠体２から引出した上枠体１を上下動不能にロック保持するロック機構５を備えている。下枠体２は高強度アルミニウム合金製の丸パイプで形成してあり、上枠体１はステンレス製の丸パイプで形成してある。下枠体２の外直径を４５ｍｍとするとき、上枠体１の外直径を３２ｍｍとして、上枠体１を下枠体２に対して出し入れ可能としている。
【００２７】
図１、図３ないし図５にロック機構５を示している。ロック機構５は、下枠体２の上部に固定される支点リング７と、上枠体１に外嵌して同枠体１の中途部を抱持固定する抱持リング８と、抱持リング８で上下揺動可能に支持したロックハンドル９と、支点リング７とロックハンドル９を連結する押上げリンク１０と、ロックハンドル９の基端と抱持リング８の対向面に設けたカム構造などで構成してある。支点リング７とロックハンドル９の間には、ロック操作したロックハンドル９がロック解除操作されるのを防ぐハンドルロック構造が設けてある。
【００２８】
支点リング７は、プラスチック成形された左右一対の半割りリング体７ａ・７ｂを接合して丸筒状に形成してあり、前側の接合部にガイドベース１２とリンクガイド部１３が一体に形成してある。図５に示すように、リンクガイド部１３の対向面には、ガイド溝１４が非貫通溝状に形成してあり、リンクガイド部１３の下端面には、後述するハンドルロック構造のロック凹部１５が形成してある。支点リング７のリング筒部７ｃは下枠体２の内面上部に収容されて、ガイドベース１２とリンクガイド部１３のみが、下枠体２の前面に形成した縦開口１６から外面に露出させてある。片方の半割りリング体７ａの下端には、弾性係合爪１７が一体に形成してあり、弾性係合爪１７が縦開口１６の下方に設けた係合穴１８に落込み係合することで、支点リング７が下枠体２から脱落するのを阻止している（図１参照）。
【００２９】
抱持リング８は、アルミダイキャスト成形品に切削加工を施して丸筒状に形成してあり、その前面にロックハンドル９を支持する一対のブラケット部２０が一体に形成してある。図３に示すように、左右のブラケット部２０は隙間を介して対向しており、この隙間をカム構造で狭めて抱持リング８の筒壁８ａを上枠体１に密着させ、両者間の摩擦力によって上枠体１を抱持固定する。支点リング７と同様に、抱持リング８の筒壁８ａは下枠体２の内面上部に収容されて、ブラケット部２０のみが下枠体２の前面に形成した縦開口１６から下枠体２の外面に露出させてある。上記のように、支点リング７のリング筒部７ｃと抱持リング８の筒壁８ａを下枠体２の内部に収容すると、支柱の外面に露出する部材をロックハンドル９と、押上げリンク１０と、リンクガイド部１３およびブラケット部２０に限って、支柱の外観をすっきりさせることができる。
【００３０】
ロックハンドル９は、プラスチック成形されたハンドル本体２１と、ハンドル本体２１の揺動基端の左右両側に固定される補強金具２２（図３参照）で構成してあり、補強金具２２とハンドル本体２１の揺動基端が、ハンドル支軸２３でブラケット部２０に連結してある。また、補強金具２２の他端側とハンドル本体２１が、リンク軸２４で押上げリンク１０の上部に連結してある。押上げリンク１０は、ロックハンドル９の左右中央に１個のみ配置してあり、その下端に設けた支点軸２５がリンクガイド部１３のガイド溝１４で、スライド可能に案内支持してある。ロックハンドル９は、ハンドル支軸２３を中心にして、図１に示すロック解除姿勢と、図４に示すロック姿勢の間で上下揺動できる。上記のように、ロックハンドル９とリンクガイド部１３を１個の押上げリンク１０で連結すると、一対のリンクで押上げリンクを構成していた従来のロック機構に比べて、ロック機構を簡素化し、さらに組立に要する手間を軽減できるので、その分だけ支柱の製造に要するコストを削減できる。
【００３１】
図３および図４に示すようにカム構造は、ブラケット部２０の外側面に膨出形成した一対のカム片２８と、ハンドル本体２１の連結部に設けた操作部２９で構成してあり、平坦な操作部２９がカム片２８に乗上がることにより、ブラケット部２０の対向隙間を狭めて、筒壁８ａを上枠体１に密着できる。この締付け時に、操作部２９が過剰に弾性変形するのを規制するために、補強金具２２を設けている。カム片２８には、操作部２９の乗上がりを円滑にするための傾斜ガイド面３０が形成してある（図４参照）。
【００３２】
ロック姿勢に切換ったロックハンドル９の外観をすっきりさせるために、ロックハンドル９の外面をハンドルカバー３１で覆っている。また、下枠体２の上端に、ロック状態に揺動操作されたロックハンドル９の上部、および抱持リング８の上部を覆うロック部カバー３２が固定してある。このように、抱持リング８の上部とロックハンドル９の外面を、ロック部カバー３２およびハンドルカバー３１で覆うことにより、支柱を突っ張り固定した状態において、ロックハンドル９やブラケット部２０を隠蔽して、支柱の外観をすっきりさせることができる。ハンドルカバー３１の下部には、後述するロック軸体３６の出入りを許す表示開口３３が形成してある。ロック部カバー３２、およびハンドルカバー３１は、それぞれゴム、エラストマー、発泡樹脂などの衝撃吸収材で形成してある。
【００３３】
ロックハンドル９が、図１に示すロック解除姿勢に操作された状態では、リンク軸２４はガイド溝１４の上端に位置しており、抱持リング８は自己の弾性で拡径している。従って、上枠体１を抱持リング８および下枠体２に自由に出し入れできる。この状態からロックハンドル９を、ハンドル支軸２３を中心にして図１に想像線で示すように下向きに揺動操作すると、押上げリンク１０がロックハンドル９に同行して下降移動し、リンク軸２４がガイド溝１４の下端で受止められる。ロックハンドル９をさらに押下げ操作すると、ハンドル本体２１の操作部２９が傾斜ガイド面３０を介してカム片２８に乗り上がるため、一対のブラケット部２０は互いに接近し、筒壁８ａが縮径して上枠体１を抱持固定する。一方、押上げリンク１０はリンク軸２４がガイド溝１４の下端で受止められるため、それ以上下降移動することはなく、ロックハンドル９を突っ張り支持する。リンク軸２４がガイド溝１４の下端で受止められた後のロックハンドル９は、リンク軸２４を中心にして下降揺動し、図４に示すように、ハンドル支軸２３が抱持リング８および上枠体１を上向きに押上げ操作してロック姿勢に切換る。天井押圧体３は上枠体１が上向きに移動し始めたのち天井Ｒに密着し、ロックハンドル９がロック姿勢に切換った状態では、天井押圧体３の内部に設けた天井ばねが弾性変形して、天井押圧体３の全体を天井Ｒに押圧する。
【００３４】
ロック姿勢に切換えられたロックハンドル９が、誤ってロック解除操作されるのを防ぐために、ロックハンドル９と支点リング７の間にハンドルロック構造を設けている。図１および図４においてハンドルロック構造は、リンクガイド部１３の下部に設けたロック凹部１５と、ロックハンドル９の下部に装着したロック軸体３６とからなる。ロック軸体３６は、ハンドル本体２１で上下に往復スライド可能に案内支持されており、その上端にロック凹部１５と係脱するロック爪３７が設けてある。
【００３５】
図４に示すように、ロックハンドル９がロック状態に切換え操作された状態において、ロック軸体３６を下方のロック解除位置から、上方のロック位置へスライド操作するだけで、ロック爪３７をロック凹部１５に係合させて、ロックハンドル９がロック解除操作されるのを規制できる。このようにロック軸体３６は、ロック状態に切換えたロックハンドル９をワンタッチでロック保持でき、従って、従来の支柱に比べて、ロックハンドル９のロック保持を確実にしかも簡便に行って、支柱の安全性を向上できる。ロック軸体３６をロック解除位置とロック位置において位置保持するために、ロック爪３７に隣接して節度腕３８が設けてあり、ハンドル本体２１の内部に節度腕３８と係合する節度リブ３９が設けてある。
【００３６】
ロック軸体３６がロック解除された状態であることを明確に表示してユーザーの注意を喚起するために、図１に示すように、ロック軸体３６の前面および左右側面に赤色の表示部４０を設けている。ロック軸体３６がロック解除位置へ切換った状態においては、表示部４０の下側が表示開口３３の外へ露出するので、ロックハンドル９がロック保持されていないことを明確に表示して、使用者の注意を喚起できる。これにより、ロックハンドル９がロック保持されていない状態のままで放置されるのを解消して、突っ張り固定型の支柱の安全性を向上できる。また、図４に示すように、ロック軸体３６がロック位置に切換えられた状態では、表示部４０はハンドルカバー３１の外郭形状の内部に収まるので、ロックハンドル９が適正にロック保持されていることを確認できる。
【００３７】
ロック位置に切換えられたロック軸体３６をロック解除位置へリセット操作して、ロックハンドル９をロック解除可能な状態に戻すために、ロックハンドル９の内部に、リセット機構を設けている。図５に示すようにリセット機構は、両端がロックハンドル９で回転自在に支持されてロック軸体３６を左右に貫通するカム軸４２と、カム軸４２に固定したリセット用のカム体４３と、カム軸４２の右端に設けた操作頭部４２ａを備えている（図５参照）。また、ロック軸体３６には、カム体４３でロック解除位置へリセット操作される受動部４４が部分円弧状に設けてある。カム体４３は弦月状に形成してあって、ロック軸体３６に設けた貫通穴４５内で回転できる。ロック軸体３６には、カム軸４２と相対スライドする逃げ溝４６が設けてあり、操作頭部４２ａに臨むハンドルカバー３１には、六角棒レンチ（操作工具）４７を差込むための工具穴４８が開口してある（図５参照）。
【００３８】
図４に示すようにロック軸体３６がロック位置へ変位操作された状態において、ハンドルカバー３１の外面から六角棒レンチ４７を工具穴４８に差込んでカム軸４２の操作頭部４２ａに係合し、カム軸４２を回転操作することにより、受動部４４をカム体４３で押出し操作して、ロック軸体３６をハンドルカバー３１の外のロック解除位置へリセット操作することができる。このとき、カム体４３は弦月状に形成してあるので、六角棒レンチ４７の回転操作方向は、時計回転方向と反時計回転方向のどちらであってもよい。
【００３９】
突っ張り固定型の支柱は、上枠体１と下枠体２を図２に示すように床Ｆと天井Ｒとの間に突っ張り固定した状態で使用できるが、例えば別途用意してあるＵ字状の手摺を下枠体２に固定した状態で使用することができる。また、図６に示すように、廊下等の壁面に沿って複数の支柱を突っ張り固定し、各支柱の下枠体２に固定した接続ブラケット５０で手摺棒５１を支持して使用することができる。
【００４０】
上記のロック機構５においては、支点リング７に設けたリンクガイド部１３と、抱持リング８に設けたブラケット部２０が下枠体２に開口した縦開口１６から下枠体２の外面に露出する状態で、支点リング７のリング筒部７ｃと、抱持リング８の筒壁８ａを下枠体２の内部に収容した。つまり、目立ちやすい支点リング７と抱持リング８のリング筒部７ｃおよび筒壁８ａを下枠体２の内部に収容して隠蔽し、両リング７・８の主要部分が支柱の外に露出するのを防止した。また、支点リング７のリンクガイド部１３と、抱持リング８のブラケット部２０は、下枠体２に開口した縦開口１６から露出させて、ロックハンドル９および押上げリンク１０を支障なく切換え操作できるようにした。こうしたロック機構によれば、武骨でごつい印象や煩雑な印象を与えやすい支点リング７や抱持リング８が支柱の外へ露出するのを解消して、支柱の外観を優しさに富む印象にでき、支柱の外観をすっきりさせることができる。ロックハンドル９をロック姿勢に切換えた状態では、押上げリンク１０がロックハンドル９の内部に収まり、さらに、リンクガイド部１３およびブラケット部２０がロックハンドル９で覆われるため、支柱の外観が押上げリンク１０等によって損なわれることはない。
【００４１】
下枠体２の上端にロック部カバー３２を固定し、ロックハンドル９の外面をハンドルカバー３１で覆うので、ロックハンドル９や抱持リング８などの金属製部品が支柱の外に露出するのを防止して、支柱の外観をさらに優しさに富む印象にして外観をすっきりさせることができる。また、ロック部カバー３２およびハンドルカバー３１を、それぞれ衝撃吸収材で形成するので、支柱の使用者が誤って先の金属製部品と衝突することがあったとしても、各カバー３１・３２で衝突衝撃を吸収して使用者が負傷するのを防止し、支柱の使用者の安全性を確保できる。さらに、ロックハンドル９のハンドル本体２１と支点リング７をプラスチック成形品で形成することにより、固定リング（支点リング）とハンドルが金属材で形成してあった従来のロック構造に比べて、ロック構造を軽量化して突っ張り固定型の支柱の軽量化に大きく寄与できる。
【００４２】
左右一対の半割りリング体７ａ・７ｂで構成した支点リング７によれば、一対の半割りリング体７ａ・７ｂを接合して下枠体２に内嵌し、半割りリング体７ａに設けた弾性係合爪１７を下枠体２に設けた係合穴１８に係合することで、支点リング７を下枠体２に対して脱落不能に固定できる。従って、径大パイプの上端に固定リングを外嵌装着し、さらにリンク連結片の上下をボルトで締結する必要があった従来の支柱に比べて、支点リング７の下枠体２に対する組付けの手間を大幅に軽減できる。また、リンクガイド部１３の対向面に、支点軸２５用のガイド溝１４を非貫通溝状に形成するので、支点軸２５および押上げリンク１０の下部をリンクガイド部１３で常に覆い隠して、支点リング７の外観をすっきりさせることができる。
【００４３】
ロックハンドル９の内部に、カム軸４２とリセット用のカム体４３を備えたリセット機構を設けるので、ハンドルカバー３１の外面からカム軸４２を回転操作することにより、ロック軸体３６の受動部４４をカム体４３で押出し操作して、ロック軸体３６をハンドルカバー３１の外のロック解除位置へリセット操作できる。こうした支柱によれば、ロック軸体３６によるロックハンドル９のロック保持はワンタッチで行えるのに対して、ロック軸体３６をロック解除操作する場合には、ハンドルカバー３１の外面から六角棒レンチ４７を差込んでカム軸４２を回転操作する必要があり、ロックハンドル９をロック保持する場合に比べて、ロック解除のための操作を複雑化できる。従って、ロックハンドル９が安易にロック解除姿勢に切換えられてしまうのを防止して支柱の安全性を向上できる。
【００４４】
上記の実施例では、左右一対の半割りリング体７ａ・７ｂで支点リング７を構成したが、その必要はなく、支点リング７は１個の部品として構成してあってもよい。さらに、ロックハンドル９は金属材で形成したハンドルであってもよく、抱持リング８はプラスチック成型品で形成してあってもよい。
【符号の説明】
【００４５】
１  上枠体
２  下枠体
３  天井押圧体
４  接床体
７  支点リング
８  抱持リング
９  ロックハンドル
１０  押上げリンク
１３  リンクガイド部
１６  縦開口
２３  ハンドル支軸
２４  リンク軸
２５  支点軸
３１  ハンドルカバー
３２  ロック部カバー
【図１】
2018040153.tif 000003
【図２】
2018040153.tif 000004
【図３】
2018040153.tif 000005
【図４】
2018040153.tif 000006
【図５】
2018040153.tif 000007
【図６】
2018040153.tif 000008